(57)【要約】【課題】ノード装置の機能が失われた場合でもシステム全体に影響を与えないノード装置を提供する。【解決手段】自ノード装置の異常発生を検出する検出手段（制御部１０−１）と、異常検出時、自ノード装置は光信号をバイパスさせ、隣接する他のノード装置同士を直接接続するバイパス手段（光スイッチ４−１）と、バイパス手段の動作前に、他のノード装置に送信する光信号を通常状態から変更する変更手段（光インタフェース３−１，３−２）と、他のノード装置からの光信号を受信する光受信手段（光インタフェース３−１，３−２）と、他のノード装置の出力状態が通常状態から変更されたことを受信状態に基づいて検知する検知手段（光インタフェース３−１，３−２）と、検知結果に応じた処理を実行する実行手段（制御部１０−１）とを有する。【選択図】図１
2014220551.tif 000002
【特許請求の範囲】
【請求項１】
他のノード装置と接続されて光通信システムを構成するノード装置において、
自ノード装置に異常が発生したことを検出する検出手段と、
前記検出手段によって異常を検出した場合には、自ノード装置については光信号をバイパスさせ、隣接する他のノード装置同士を直接接続状態にするバイパス手段と、
前記バイパス手段を動作させる前に、他のノード装置に対して送信する光信号の出力状態を通常状態から変更する変更手段と、
他のノード装置からの光信号を受信する光受信手段と、
前記光受信手段の受信状態に基づいて、前記他のノード装置の光信号の出力状態が前記通常状態から変更されたことを検知する検知手段と、
前記検知手段の検知結果に応じた処理を実行する実行手段と、
を有することを特徴とするノード装置。
【請求項２】
前記変更手段は、前記他のノード装置に対して送信する光信号の強度を、通常の強度から変更することを特徴とする請求項１に記載のノード装置。
【請求項３】
前記変更手段は、前記他のノード装置に対して送信する光信号を停止することを特徴とする請求項１に記載のノード装置。
【請求項４】
前記バイパス手段は、前記検出手段による異常検出の際、前記バイパス手段の試験の際、または、当該ノード装置を運用上バイパスする際に動作することを特徴とする請求項１乃至３のいずれか１項に記載のノード装置。
【請求項５】
前記実行手段は、前記光信号の出力状態を検知した前記他のノード装置への通信を停止するか、または、送信先を前記他のノード装置以外に変更する処理を実行することを特徴とする請求項１乃至４のいずれか1項に記載のノード装置。
【請求項６】
前記検出手段は、外部電源の供給が遮断され、バックアップ電源が動作している場合またはバックアップ可能時間が所定の閾値以下に減少した場合には、異常が発生したと判定することを特徴とする請求項１乃至５のいずれか１項に記載のノード装置。
【請求項７】
複数のノード装置が接続されて構成される光通信システムにおいて、
前記ノード装置は、
自ノード装置に異常が発生したことを検出する検出手段と、
前記検出手段によって異常を検出した場合には、自ノード装置については光信号をバイパスさせ、隣接する他のノード装置同士を直接接続状態にするバイパス手段と、
前記バイパス手段を動作させる前に、他のノード装置に対して送信する光信号の出力状態を通常状態から変更する変更手段と、
他のノード装置からの光信号を受信する光受信手段と、
前記光受信手段の受信状態に基づいて、前記他のノード装置の光信号の出力状態が前記通常状態から変更されたことを検知する検知手段と、
前記検知手段の検知結果に応じた処理を実行する実行手段と、を有する、
ことを特徴とする光通信システム。
【請求項８】
前記バイパス手段は、前記検出手段による異常発生の際、前記バイパス手段の試験の際、当該ノード装置を運用上バイパスする際に動作することを特徴とする、請求項７に記載の光通信システム。
【発明の詳細な説明】
【技術分野】
【０００１】
本発明は、ノード装置および光通信システムに関するものである。
【背景技術】
【０００２】
特許文献１には光スイッチ（文献内記載「光ＳＷ」（段落００３９等））を用いて停電時等正常な機能を発揮できない場合でも機能が失われたノードをバイパスして前後のノード同士を接続し通信する技術が開示されている。
【０００３】
また、非特許文献２にはダイイングギャスプ（Dying Gasp）と呼ばれる通知信号を用いて異常を周囲へ通知する技術が開示されている。
【先行技術文献】
【特許文献】
【０００４】
【特許文献１】特開２００９−２４６７２１号公報
【非特許文献】
【０００５】
【非特許文献１】IEEE Standards 802.3ah
【発明の概要】
【発明が解決しようとする課題】
【０００６】
ところで、特許文献１に開示された技術では、停電や装置故障等によって機能を停止したノードを、光スイッチによりバイパスし、該当ノードを通らない経路へと切り換わることができる。しかしながら、切り換えが行われたことをシステムが必ずしも認識できないという問題点がある。
【０００７】
一般的な光通信システムは、切り換えを含む経路の異常を光信号の消失（ＬＯＳ：Loss Of Signal）で検出するが、安価な光機器を用いた場合、検出に１００ｍｓ程度が必要となることがある。しかしながら、光スイッチによる切り換え時間は、一般的に使われる機械式のもので１ｍｓ〜１０ｍｓであることが知られており、光機器が検出できないうちに切り換えが完了してしまうことがある。また光スイッチの構造によっては切り換え前の経路の光パワーが検知できる程度に低下する前に、切り換え後の経路の光パワーが増加して消失が発生しないことがある。
【０００８】
この結果、他ノードが認識している経路で送信を試みたものの実際の経路と異なっており失敗する可能性や、停電によって光スイッチでバイパスされているノードへの通信が試みられて失敗する可能性があるといった問題がある。
【０００９】
ここで対象とするインフラ向け監視装置等には、一般に、電源断に対するバックアップ電源（電池、キャパシタ等）が存在するものが多い。こうした場合、停電状態に陥っても当面稼働することが可能であり、また電源へのモニター機能を備えていれば自身への電源供給が途絶えていることを認識することができる。こうした状況で、非特許文献１に開示されているダイイングギャスプ信号のように自身が異常状態にあることを通知する機能がある。
【００１０】
しかし、こうした信号の処理には追加の機能の実装が必須でありコストが上昇する可能性があるほか、通信が混雑している状況等では送信に失敗する可能性がある。
【００１１】
本発明は、以上の点に鑑みてなされたものであり、コストの増加を招来せず、かつ、ノード装置の機能が失われた場合でもシステム全体に影響を与えないノード装置および光通信システムを提供することを目的としている。
【課題を解決するための手段】
【００１２】
上記課題を解決するために、本発明は、他のノード装置と接続されて光通信システムを構成するノード装置において、自ノード装置に異常が発生したことを検出する検出手段と、前記検出手段によって異常を検出した場合には、自ノード装置については光信号をバイパスさせ、隣接する他のノード装置同士を直接接続状態にするバイパス手段と、前記バイパス手段を動作させる前に、他のノード装置に対して送信する光信号の出力状態を通常状態から変更する変更手段と、他のノード装置からの光信号を受信する光受信手段と、前記光受信手段の受信状態に基づいて、前記他のノード装置の光信号の出力状態が前記通常状態から変更されたことを検知する検知手段と、前記検知手段の検知結果に応じた処理を実行する実行手段と、を有することを特徴とする。
このような構成によれば、コストの増加を招来せず、かつ、ノード装置の機能が失われた場合でもシステム全体に影響を与えないノード装置を提供できる。
【００１３】
また、本発明の一側面は、前記変更手段は、前記他のノード装置に対して送信する光信号の強度を、通常の強度から変更することを特徴とする。
このような構成によれば、ハードウェアの追加なしに、他のノード装置に異常の発生を伝えることができる。
【００１４】
また、本発明の一側面は、前記変更手段は、前記他のノード装置に対して送信する光信号を停止することを特徴とする。
このような構成によれば、ハードウェアの追加なしに、他のノード装置に異常の発生を伝えることができる。
【００１５】
また、本発明の一側面は、前記バイパス手段は、前記検出手段による異常検出の際、前記バイパス手段の試験の際、または、当該ノード装置を運用上バイパスする際に動作することを特徴とする。
このような構成によれば、システム全体に影響を与えることなく、自ノード装置を通信経路から除外することができる。
【００１６】
また、本発明の一側面は、前記実行手段は、前記光信号の出力状態を検知した前記他のノード装置への通信を停止するか、または、送信先を前記他のノード装置以外に変更する処理を実行することを特徴とする。
このような構成によれば、システム全体に影響を与えることなく、前記他のノード装置との通信を停止することができる。
【００１７】
また、本発明の一側面は、前記検出手段は、外部電源の供給が遮断され、バックアップ電源が動作している場合またはバックアップ可能時間が所定の閾値以下に減少した場合には、異常が発生したと判定することを特徴とする。
このような構成によれば、バックアップ電源が停止するまでの間に、他のノード装置に対して異常の発生を通知することができる。
【００１８】
また、本発明は、複数のノード装置が接続されて構成される光通信システムにおいて、前記ノード装置は、自ノード装置に異常が発生したことを検出する検出手段と、前記検出手段によって異常を検出した場合には、自ノード装置については光信号をバイパスさせ、隣接する他のノード装置同士を直接接続状態にするバイパス手段と、前記バイパス手段を動作させる前に、他のノード装置に対して送信する光信号の出力状態を通常状態から変更する変更手段と、他のノード装置からの光信号を受信する光受信手段と、前記光受信手段の受信状態に基づいて、前記他のノード装置の光信号の出力状態が前記通常状態から変更されたことを検知する検知手段と、前記検知手段の検知結果に応じた処理を実行する実行手段と、を有する、ことを特徴とする。
このような構成によれば、コストの増加を招来せず、かつ、ノード装置の機能が失われた場合でもシステム全体に影響を与えないノード装置を提供できる。
【００１９】
また、本発明の一側面は、前記バイパス手段は、前記検出手段による異常発生の際、前記バイパス手段の試験の際、自ノード装置を運用上バイパスする際に動作することを特徴とする。
このような構成によれば、自ノード装置を通信経路から除外しても、システム全体の動作に影響を与えないシステムが提供される。
【発明の効果】
【００２０】
本発明によれば、コストの増加を招来せず、かつ、ノード装置の機能が失われた場合でもシステム全体に影響を与えないノード装置および光通信システムを提供することが可能になる。
【図面の簡単な説明】
【００２１】
【図１】本発明の第１実施形態に係る光通信システムの構成例を示す図である。
【図２】図１に示す光インタフェースの詳細な構成例を示す図である。
【図３】図１において光スイッチ４−２がバイパスされた状態を示す図である。
【図４】４つのノード装置が接続されている状態で、ノード装置２−２がバイパスされた状態を模式的に示す図である。
【図５】本発明の第２実施形態に係る光通信システムの構成例を示す図である。
【図６】図５に示す第２実施形態において実行される処理の一例を説明するためのフローチャートである。
【図７】ノード装置の他の構成例を説明するための図である。
【発明を実施するための形態】
【００２２】
次に、本発明の実施形態について説明する。
【００２３】
（Ａ）本発明の第１実施形態の構成の説明
図１は、本発明の第１実施形態に係る光通信システムの構成例を示す図である。この図１に示すように、本発明の第１実施形態に係る光通信システムは、複数のノード装置２−１〜２−３が光ファイバ５−１〜５−４によって接続されて構成されている。なお、ノード装置２−１〜２−３は同様の構成とされているので、以下ではノード装置２−１を例に挙げて説明する。
【００２４】
図１に示すように、ノード装置２−１は、光スイッチ４−１、光インタフェース３−１，３−２、および、制御部１０−１を有している。ここで、光スイッチ４−１は、２つの入力ポートと２つの出力ポートを有するいわゆる２×２光スイッチによって構成される。この光スイッチ４−１は、通常時（ノード装置が正常な時）は、光スイッチ４−１の両端に接続されている光ファイバ５−１，５−２と、光インタフェース３−１，３−２とをそれぞれ接続し、異常時（ノード装置が異常な時）は、制御もしくは電源断により光スイッチ４−１の接続が切り替わり両端に接続されている光ファイバ５−１，５−２を介してノード装置２−２の光インタフェース３−４とノード装置２−３の光インタフェース３−５を、光インタフェース３−１，３−２をバイパスして直接接続する。光インタフェース３−４，３−５は、光ファイバ５−１，５−２を介して光スイッチ４−１によって直接接続された場合には、相互に光信号を送受信する。なお、異常時以外にも、例えば、バイパス機能試験時または運用上該当ノードをバイパスしたい時に、制御または電源断によって、光スイッチ４−１の接続が切り替わり両端に接続されている光ファイバ５−１，５−２を介してノード装置２−２の光インタフェース３−４とノード装置２−３の光インタフェース３−５を、光インタフェース３−１，３−２をバイパスして直接接続するようにしてもよい。
【００２５】
図２は光インタフェース３−１の詳細な構成例を示す図である。なお、他の光インタフェース３−２〜３−６も同様な構成とされているので、光インタフェース３−１を例に挙げて説明する。光インタフェース３−１は、図２に示すように光出力部６−１、光入力部７−１、光出力調整部８−１、および、光入力監視部９−１を有している。ここで、光出力部６−１は、例えば、半導体レーザダイオードによって構成され、制御部１０−１から供給される電気信号を光出力調整部８−１の制御に応じてレーザ光による光信号に変換し光ファイバ５−１に対して出射する。光入力部７−１は、例えば、ＰＤ（Photo Diode）によって構成され、光ファイバ５−１を介して入射される光信号を電気信号に変換して、光入力監視部９−１を介して制御部１０−１に供給する。光出力調整部８−１は、制御部１０−１の制御に応じて光出力部６−１から出力されるレーザ光の光強度を調整する。光入力監視部９−１は、光入力部７−１に入射される光信号の強度を監視し、監視結果を制御部１０−１に供給する。
【００２６】
（Ｂ）本発明の第１実施形態の動作の説明
つぎに、本発明の第１実施形態の動作について説明する。ここでは、図１に示す状態において、ノード２−１に異常が発生した場合を想定する。ノード２−１に異常が発生した場合、制御部１０−１はこれを検出する。異常を検出した制御部１０−１は、まず、光インタフェース３−１，３−２を制御してノード装置２−２，２−３に出力される光信号の強度を通常とは異なる強度に設定する。より詳細には、制御部１０−１には、光インタフェース３−１，３−２の光出力調整部８−１，８−２に対して、光信号の強度を通常とは異なる強度に設定するように要求する。この結果、光出力調整部８−１，８−２は、光出力部６−１，６−２をそれぞれ制御して、ノード装置２−２，２−３に出力される光信号の強度を変更させる。なお、変更の方法としては、例えば、光信号の強度を通常よりも小さく設定したり、時間的に変動させたり、オン／オフを繰り返したり、あるいは、光信号の出力を停止したりすることができる。もちろん、これら以外の方法でもよい。
【００２７】
ノード装置２−１が出力する光信号の強度が通常とは異なるものに設定された場合、ノード装置２−２，２−３の光インタフェース３−４，３−５の光入力部７−４，７−５が光信号を受信して光入力監視部９−４，９−５に供給する。光入力監視部９−４，９−５は、光入力部７−４，７−５から出力される信号レベルが通常とは異なることを検出し、制御部１０−２，１０−３にそれぞれ通知する。この結果、例えば、光信号のレベルが通常より一定の閾値以上小さくなった場合、光信号が失われたと判定し、ＬＯＳ（Loss Of Signal）に基づく処理を実行する。すなわち、多くの光通信ネットワークでは光信号の存在を常時監視しており、失われた際には何らかの異常が通信路もしくは機器に起こったとして処理を行う機能を有しており、この機能が動作する。この結果、制御部１０−２，１０−３は、隣接するノード装置２−１において異常が発生していることを認識し、例えば、ＬＯＳに基づく処理を実行する。その結果、制御部１０−２，１０−３はノード装置２−１がバイパス状態になることを知ることができるので、その後は、ノード装置２−１のアドレス（ＭＡＣ（Media Access Control）アドレスやIP（Internet
Protocol）アドレス等）を含む送受信情報を保持していた場合、削除、無効化することや、該当アドレスを含む光信号については、例えば、アドレスを変更したり、送信先を変更したり、送信を停止したりするようにすることができる。
【００２８】
以上のようにして、ノード装置２−２，２−３に異常の発生が通知され、一定時間が経過すると、ノード装置２−１の制御部１０−１は、光スイッチ４−１をバイパスさせる制御を行う。この結果、光スイッチ４−１は、その両端に接続されている光ファイバ５−１，５−２を、光スイッチ４−１を介して直接接続した状態となる。すなわち、ノード装置２−１は、図３に示す状態になる。これにより、ノード装置２−２から入力された光信号は、光スイッチ４−１を介してノード装置２−３に入射される。また、ノード装置２−３から入力された光信号は、光スイッチ４−１を介してノード装置２−２に入射される。図４は、４つのノード装置２−１〜２−４が接続された状態で、ノード装置２−１に異常が発生し、以上と同様の処理を実行することにより、ノード装置２−１がバイパス状態になった場合を模式的に示す図である。ノード装置２−１がバイパス状態になると、このノード装置２−１に隣接するノード装置２−２およびノード装置２−３は、ノード装置２−１をバイパスして直接通信を行う状態となる。
【００２９】
以上のようにして、光スイッチ４−１のバイパス処理が終了すると、制御部１０−１は、例えば、ノード装置２−１のシャットダウン動作を実行し、ノード装置２−１を休止状態にする。
【００３０】
以上に説明したように、本発明の第１実施形態によれば、ノード装置において異常が発生した場合には、光スイッチの切り換えが発生する前に、光出力部から出力される光信号の強度を通常とは異なる強度に設定するようにしたので、隣接するノード装置が、例えば、ＬＯＳに基づく動作を実行し、異常が発生したノード装置をバイパスするように通信制御を変更することができる。これにより、ノード装置に新たなハードウェアやソフトウェアを追加することなく、ノード装置の不具合がシステム全体に対して影響を与えること防止できる。
【００３１】
（Ｃ）本発明の第２実施形態の構成の説明
つぎに、本発明の第２実施形態について説明する。図５は本発明の第２実施形態に係るノード装置の構成例を説明する図である。なお、この図では、１台のノード装置２のみを示している。この図５示すように、第２実施形態に係るノード装置２は、光インタフェース３−１〜３−５、光スイッチ４−１，４−２、制御部１０、通信処理部１１、バックアップ電源１２、および、充放電制御部１３を有している。なお、図５において図１と対応する部分には同一の符号を付してその説明を省略する。通信処理部１１は、光インタフェース３−１〜３−５に対して通信のプロトコルに関する処理を実行する。具体的には、通信処理部１１で行われる通信処理としては、Ｅｔｈｅｒｎｅｔ（登録商標）、ＴＣＰ／ＩＰの処理、または、ルーティング処理などがある。バックアップ電源１２は、リチウムイオン電池、鉛蓄電池、ニッケルカドミウム電池、ニッケル水素電池、アルカリ電池といった一次／二次電池のほか電気二重層キャパシタ、大型アルミ電解キャパシタ等といった大容量キャパシタによって構成され、充放電制御部１３の制御によって充電されるとともに、充放電制御部１３を介して装置の各部に電力を供給する。充放電制御部１３は、制御部１０によって制御され、外部電源が正常である場合には、この外部電源から供給される電力によってバックアップ電源１２を充電するとともに、外部電源が異常である場合（例えば、遮断した場合）には、バックアップ電源１２に蓄積されている電力を装置の各部に供給する。
【００３２】
（Ｄ）本発明の第２実施形態の動作の説明
つぎに、本発明の第２実施形態の動作ついて説明する。まず、外部電源が正常である場合について説明する。外部電源が正常である場合には、充放電制御部１３は、外部電源から供給される電力を装置の各部に供給するとともに、必要に応じてバックアップ電源１２を充電する。例えば、バックアップ電源１２の端子電圧が所定の電圧にも低い場合、または、バックアップ電源１２の内部インピーダンス等からＳＯＣ（State Of Charge）を算出し、このＳＯＣが所定の値よりも小さい場合にはバックアップ電源１２を充電する。なお、バックアップ電源１２が満充電である場合または満充電に近い場合には、充放電制御部１３は、その状態を維持するように動作する。通信処理部１１は、光インタフェース３−１〜３−５によって受信された情報に対するルーティング処理等を実行する。これにより、隣接するノード装置との間で通信が可能となる。制御部１０は、充放電制御部１３、バックアップ電源１２、外部電源の少なくとも１つの状態を監視することにより、現在、ノード装置に外部電源が供給されているか否か、または、バックアップ電源１２から電力が供給されているかを知ることができる。
【００３３】
制御部１０が電源の遮断を検出した場合には、制御部１０は充放電制御部１３を制御して、バックアップ電源１２からの電力の供給を開始する。つぎに、制御部１０は、光インタフェース３−１〜３−５の光出力調整部８を制御して光信号の強度を通常とは異なる強度に変更する。これにより、隣接する他のノード装置に対して、例えば、ＬＯＳを確実に検出させ、ＬＯＳに基づく処理を実行させることができる。隣接する他のノード装置においてＬＯＳに基づく処理が終了するために十分な時間が経過すると、制御部１０は、光スイッチ４−１，４−２を切り換えて、自身をバイパスする設定を行う。そして、バイパスに関する設定が終了すると、制御部１０は、充放電制御部１３を制御し、バックアップ電源１２からの電力の供給を停止し、ノード装置２を動作停止状態に導く。
【００３４】
以上の動作によれば、例えば、外部電源の遮断により、バックアップ電源１２からの電力の供給が開始された場合（バックアップ状態になった場合）には、光信号の強度を通常とは異なる強度に変更することにより、隣接する他のノード装置に対して不具合の発生を通知することができるので、バックアップ電源１２の電力が失われる前に、隣接する他のノード装置に対して事前の準備を実行させ、システム全体の影響を与えることなく動作を検出することができる。なお、以上では、外部電源が遮断した場合の動作を例に挙げて説明したが、これ以外にも、例えば、光インタフェース３−１〜３−５や通信処理部１１が異常な状態になった場合にも同様の動作を実行するようにしてもよい。そのような構成によれば、装置内部のハードウェアが故障した場合にも、外部電源の遮断と同様に、隣接する他のノード装置に不具合の発生を通知し、事前の準備を行うことでシステム全体に影響が波及することを防止できる。
【００３５】
つぎに、図６を参照して図５に示す第２実施形態において実行される処理の一例について詳細に説明する。図６に示すフローチャートの処理が開始されると、以下のステップが実行される。
【００３６】
ステップＳ１１では、制御部１０は、外部電源が遮断されたか否かを判定し、遮断されたと判定した場合（ステップＳ１１：Ｙｅｓ）にはステップＳ１２に進み、それ以外の場合（ステップＳ１１：Ｎｏ）には同様の処理を繰り返す。具体的には、制御部１０は、充放電制御部１３、バックアップ電源１２、外部電源の少なくとも１つの状態を監視することにより、ノード装置に外部電源が供給されているか否かを知ることができる。
【００３７】
ステップＳ１２では、制御部１０は、バックアップ動作を開始する。より詳細には、制御部１０は、充放電制御部１３を制御して、バックアップ電源１２に蓄積されている電力を、装置の各部に供給させる。
【００３８】
ステップＳ１３では、制御部１０は、通信処理部１１に対して問い合わせを行い、通信処理部１１の現在の残りタスクを確認する。より詳細には、通信処理部１１が処理中のパケットを有しているか否かや、応答待ちのパケットを有しているか否かによって確認することができる。
【００３９】
ステップＳ１４では、制御部１０は、通信処理部１１に残りタスクが存在するか否かを判定し、存在すると判定した場合（ステップＳ１４：Ｙｅｓ）にはステップＳ１５に進み、それ以外の場合（ステップＳ１４：Ｎｏ）にはステップＳ１６に進む。
【００４０】
ステップＳ１５では、制御部１０は、ステップＳ１４で検出された残りタスクが完了するまで待機し、完了した場合にはステップＳ１３に進む。
【００４１】
ステップＳ１６では、制御部１０は、光インタフェース３−１〜３−５の光出力調整部８に対して光信号の強度を変更するように要求する。この結果、光インタフェース３−１〜３−５の光出力調整部８は、通常とは異なる強度の光信号を出力する。
【００４２】
ステップＳ１７では、制御部１０は、光信号の強度を変更してから所定の時間が経過したか否かを判定し、所定の時間が経過したと判定した場合（ステップＳ１７：Ｙｅｓ）にはステップＳ１８に進み、それ以外の場合（ステップＳ１７：Ｎｏ）には所定の時間が経過するまで同様の処理を繰り返す。なお、所定の時間としては、他のノード装置が、例えば、ＬＯＳに基づく処理を実行するのに十分な時間とすることができる。
【００４３】
ステップＳ１８では、制御部１０は、光スイッチ４−１，４−２をバイパス側に切り換える制御を実行する。この結果、隣接する他のノード装置から送信された光信号は、光スイッチ４−１，４−２によってバイパスされ、本ノード装置２による処理を受けることなく、次のノード装置に伝送されることになる。
【００４４】
以上の処理によれば、外部電源が遮断した場合には、隣接する他のノード装置に対して供給される光信号の強度を通常とは異なる強度に変更することによって、本ノード装置２が動作を停止することを隣接する他のノード装置に対して事前に通知することができる。これによって、バックアップ電源１２によるバックアップ動作が持続している間に、隣接する他のノード装置が必要な処理を実行することができる。その結果、外部電源が遮断された場合であっても、システム全体に影響が波及することを防止できる。
【００４５】
（Ｅ）変形実施形態の説明
以上の実施形態は一例であって、本発明が上述したような場合のみに限定されるものでないことはいうまでもない。例えば、以上の各実施形態では、図１に示すように、２×２の光スイッチ４−１を用いるようにしたが、図７に示すように、１×２の光スイッチ１４−１，１４−２を用いるようにしてもよい。図７の例では、２つの１×２の光スイッチ１４−１，１４−２が用いられおり、これらは光ファイバ１５によって相互に接続されている。すなわち、光ファイバ５−１から光スイッチ１４−１に入力された光信号は光インタフェース３−３もしくは光ファイバ１５に入力される。光ファイバ５−２から光スイッチ１４−２に入力された光信号は光インタフェース３−４もしくは光ファイバ１５に入力される。なお、光スイッチ１４−１，１４−２は、切り換えのタイミングがずれを生ずると、光信号が途中で失われてしまうため、同期して切り換え動作を行う必要がある。
【００４６】
また、３つ以上の光インタフェースが存在する場合には、光スイッチに接続されてない光インタフェースについては、光スイッチに接続されている光インタフェースと同じタイミングで光信号の調整を行ってもよいし、あるいは、バックアップ電源１２の電力がなくなるまで放置してもよい。これは、光スイッチに接続されていない光インタフェースは、電源が遮断される際に確実にＬＯＳが発生するので、手当てする必要がないからである。また、このような光スイッチに接続されていない光インタフェースを用いることで通信を継続できるというメリットもある。一方、他の光インタフェースと同時に遮断することで、ＬＯＳを受信する側の動作が一度で済むため効率が良いというメリットもある。２つ以上の光スイッチが存在する場合には、所定の順番で制御するようにしてもよいし、同時に制御するようにしてもよい。同時に制御する場合、ＬＯＳを受信する側の動作が一度で済むために効率的であるが、順番に制御する場合には残った光インタフェースを利用して通信を継続できるというメリットがある。
【００４７】
また、以上の第２実施形態では、バックアップ電源１２からの給電が開始された場合（バックアップ電源が動作を開始した場合）に異常が発生したと判定するようにしたが、これ以外にも、例えば、バックアップ可能時間が所定の閾値以下に減少した場合に異常が発生したと判定するようにしてもよい。
【００４８】
また、以上の各実施形態では、光出力調整部８によって光強度を調整するようにしたが、単純に光出力を変動もしくは遮断するのではなく、一定の周期で繰り返し実行したり、あるいは、オンオフを繰り返したりすることによって、通信経路の状態変化ではなく、ノード装置の異常によって意図的に惹起された状況であることを検知させたり、オンオフのパターンに何らかの意味を持たせて情報を伝達するようにしてもよい。
【００４９】
また、以上の各実施形態において、光出力を完全に遮断する構成を採用する場合、ＬＯＳの検知後、光スイッチ４が切り換わるまで一定時間が必要である。一般的なノード装置では、ＬＯＳを検出すると、所定の処理を実施することがある。しかし、本発明では所定時間後に光スイッチが切り換わるため、処理が無駄になる場合がある。そこで、ＬＯＳを検出し、所定の時間待機した後、光スイッチが切り替わったことを確認してから（ＬＯＳが消失してから）、所定の処理を実行する構成を採用することで処理の無駄を省くことが可能になる。
【００５０】
また、以上の各実施形態におけるノード装置の接続方法は一例であって、これ以外にも、例えば、リング状に接続したり、３ポートもしくは４ポートを持つノード装置を用いることでツリー、スター、メッシュ等のトポロジーで接続したりしてもよい。また、光スイッチを持つノードが２個以上直列に接続されている場合、一度に複数のノード装置をバイパスすることも可能である。こうした動作により中継点にいるノード装置が電源断に陥った場合でも該当ノード装置をバイパスすることで通信を継続することができる。また、光スイッチは外部要因によって電源が断たれた場合のみならず自らが異常な状態に陥って、通信を継続できないと判断した際、試験実施時、運用上バイパスが必要となった場合などに、自らの電源を断つか、何らかの制御デバイスにより光スイッチを切り換えることで、ネットワークを維持する構成としてもよい。
【００５１】
また、以上の実施形態ではノード装置は、光ポートを有する構成としたが、例えば、カッパーポートと電気スイッチにより実現してもよい。
【符号の説明】
【００５２】
２−１〜２−３  ノード装置
３−１〜３−６  光インタフェース（変更手段、光受信手段、検知手段）
４−１〜４−３  光スイッチ（バイパス手段）
５−１〜５−４  光ファイバ
６  光出力部
７  光入力部
８  光出力調整部
９  光入力監視部
１０，１０−１〜１０−３  制御部（検出手段、実行手段）
１１  通信処理部
１２  バックアップ電源
１３  充放電制御部
１４−１，１４−２  光スイッチ（バイパス手段）
【図１】
2014220551.tif 000003
【図２】
2014220551.tif 000004
【図３】
2014220551.tif 000005
【図４】
2014220551.tif 000006
【図５】
2014220551.tif 000007
【図６】
2014220551.tif 000008
【図７】
2014220551.tif 000009